(57)【要約】【課題】他事業者の通信相手に画像付きメールを送信する際に、ユーザ操作が容易なメールの送信方法および通信端末装置を得る。【解決手段】  メール送信の宛先へメールを送信する無線部４と、他事業者宛画像メールであること、及び、送信先メールアドレスを一時記憶する一時記憶部３と、画像が添付されたときに、前記一時記憶部に前記他事業者宛画像メールであることが記憶されていれば、本文の先頭に前記送信先メールアドレスを挿入し、事業者指定アドレスをメール送信の宛先に設定する制御部７を備えたもの。【選択図】図１
2006067344.tif 000002
【特許請求の範囲】
【請求項１】
携帯通信端末装置を用いて異なる事業者間で画像付きメールを送信する画像付きメールの送信方法であって、
他事業者宛画像メールであることを宛先選択情報として前記端末装置の記憶部に一時記憶する第一のステップ、
メール送信宛先欄へ、送信相手のメールアドレスを設定し、前記端末装置の記憶部に一時記憶する第二のステップ、
送信する画像を前記端末装置の記憶部に一時記憶する第三のステップ、
前記第三のステップ後に、前記第一のステップで記憶しておいた宛先選択情報を読み出し内容を確認する第四のステップ、
前記第四のステップで他事業者宛画像メールであることが確認されると、前記端末装置の事業者指定アドレス記憶部に格納されている事業者指定アドレスを読み出し、該事業者指定アドレスをメール送信宛先欄に設定するとともに、前記第二のステップで設定されていた送信相手のメールアドレスを、本文入力欄の本文の先頭に挿入する第五のステップを備えたことを特徴とする画像付きメールの送信方法。
【請求項２】
携帯通信端末装置が、携帯電話機であることを特徴とする請求項１に記載の画像付きメールの送信方法。
【請求項３】
メール送信の宛先へメールを送信する無線部と、
他事業者宛画像メールであること、及び、送信先メールアドレスを一時記憶する一時記憶部と、
画像が添付されたときに、前記一時記憶部に前記他事業者宛画像メールであることが記憶されていれば、本文の先頭に前記送信先メールアドレスを挿入し、事業者指定アドレスをメール送信の宛先に設定する制御部、とを備えたことを特徴とする通信端末装置。
【請求項４】
メール送信の宛先へメールを送信する無線部と、
他事業者宛画像メールであること、送信先メールアドレス、及び、添付画像を一時記憶する一時記憶部と、
送信するとき、前記一時記憶部に、他事業者宛画像メールであること及び添付画像が記憶されていれば、本文の先頭に前記送信先メールアドレスを挿入し、事業者指定アドレスをメール送信の宛先に設定する制御部、とを備えたことを特徴とする通信端末装置。
【発明の詳細な説明】
【技術分野】
【０００１】
この発明は、携帯電話機のような携帯通信端末装置を用いて異なる事業者間で画像付きメールを送信する場合の、画像付きメールの送信方法および通信端末装置に関するものである。
【背景技術】
【０００２】
携帯電話機を用いて画像付きメールを通信相手に送信しようとする場合に、事業者が異なる通信相手に対しては、画像付きメールを直接送信することが出来ない場合がある。
このような事業者の異なる通信相手に画像付きメールを送信したい場合、従来の方法では、
宛先として事業者の指定するメールアドレスを指定し、本文先頭に画像付きメールを送信したい他事業者の通信相手端末の送信先メールアドレスを設定する、という特殊な形式でメールを作成してメール送信を行っている。
【０００３】
従来の、他事業者への画像メール送信の操作方法を図４〜図６を用いて説明する。
図４は、携帯電話機の概略ブロック構成図、図５は、操作者の操作に応じて携帯電話機の表示部に表示されるメール作成画面等の表示画面、図６は操作手順を示すフローチャートである。なお、以下の説明中、符号Ｓ１〜Ｓ２３は図６のステップＳ１〜Ｓ２３を示すものとする。
図４〜図６において、操作者がメールを作成するときに操作部１を操作すると、制御部７が図５（ａ）のようなメール作成画面を表示部２に表示させる(Ｓ1)。
操作者が操作部１を操作して「宛先」を選択する(Ｓ２)と、制御部７が図５（ｂ）のような宛先メニュー一覧(Ｓ３)を表示部２に表示させる。
操作者が、操作部１で「２．E-mail入力」を選択する(Ｓ７)と、制御部７が図５（ｃ）のような文字入力画面を表示部２に表示させる。
操作者が操作部１を操作し、事業者指定アドレスを入力（Ｓ８）して確定する(Ｓ９)と、制御部７は図５（ｄ）のように、入力した事業者指定アドレスが設定された状態でメール作成画面を表示部２に表示させる。
次に操作者が操作部１で「本文」を選択する(Ｓ１３)と、制御部７が図５（ｅ）のような文字入力画面を表示部２に表示させる。
操作者が操作部１を操作し、本文の先頭に送信したい相手のアドレスを入力（Ｓ１４）して確定する(15)と、制御部７は図５（ｆ）のように、入力した送信相手アドレスが設定された状態でメール作成画面を表示部２に表示させる。
次に操作者が操作部１で「画像」を選択する(Ｓ１６)と、制御部７が図５（ｇ）のような画像一覧を表示部２に表示させる。
操作者が操作部１を操作し、送りたい画像を画像一覧(Ｓ１７)から選択して、確定する（Ｓ１８）と、制御部７は図５（ｈ）のように選択した画像のファイル名が設定された状態でメール作成画面を表示部２に表示させる。
操作者が操作部１の送信ボタンを押す(Ｓ１９)と、制御部７は宛先が入力済みかどうか判断し(Ｓ２０)、入力済みであれば、無線部４を介してメール送信(Ｓ２２)を行い、処理を終了する。入力済みでなければ、表示部２に警告画面を表示した(Ｓ２１)後、表示部２にメール作成画面を表示させ、(Ｓ２)に戻る。
【発明の開示】
【発明が解決しようとする課題】
【０００４】
このように、従来の画像付きメールの送信方法では、異なる事業者間ユーザに画像付きメールを送信する際には、操作者自身が毎回、宛先欄に事業者指定アドレスを設定し、本文の先頭に送信したい相手のアドレスを設定しなければなかった。そのため、同一事業者内ユーザ同士での画像付きメール送信と、異なる事業者ユーザへのメール送信時では、メール作成での入力内容が異なり、ユーザ操作が煩雑になるという問題点があった。
また、ユーザーに混乱を招き、入力ミスが多発しメールが届かないという問題があった。
【０００５】
なお、特開２００２−２９７２８７号公報には、電子メールアドレス入力時において、共通する識別記号等を自動的に補間することにより、文字入力における利用者の負担を軽減する技術が紹介されているが、異なる事業者間の画像付きメール送信におけるユーザ操作の煩雑さや入力ミスを低減できるものではない。
【０００６】
【特許文献１】特開２００２−２９７２８７号公報
【０００７】
この発明は、上記のような従来の画像付きメールの送信方法における問題点を解消するためになされたもので、異なる事業者間での画像付きメールを送信する際に、同一事業者内ユーザ同士への画像付きメールを作成するのと同様の方法でメールを作成できるようにして、ユーザ操作を容易にした画像付きメールの送信方法および通信端末装置を提供することを目的とする。
【課題を解決するための手段】
【０００８】
この発明に係る画像付きメールの送信方法は、携帯通信端末装置を用いて異なる事業者間で画像付きメールを送信する画像付きメールの送信方法であって、
他事業者宛画像メールであることを宛先選択情報として前記端末装置の記憶部に一時記憶する第一のステップ、
メール送信宛先欄へ、送信相手のメールアドレスを設定し、前記端末装置の記憶部に一時記憶する第二のステップ、
送信する画像を前記端末装置の記憶部に一時記憶する第三のステップ、
前記第三のステップ後に、前記第一のステップで記憶しておいた宛先選択情報を読み出し内容を確認する第四のステップ、
前記第四のステップで他事業者宛画像メールであることが確認されると、前記端末装置の事業者指定アドレス記憶部に格納されている事業者指定アドレスを読み出し、該事業者指定アドレスをメール送信宛先欄に設定するとともに、前記第二のステップで設定されていた送信相手のメールアドレスを、本文入力欄の本文の先頭に挿入する第五のステップ
を備えたものである。
【０００９】
また、この発明に係る通信端末装置は、メール送信の宛先へメールを送信する無線部と、
他事業者宛画像メールであること、及び、送信先メールアドレスを一時記憶する一時記憶部と、
画像が添付されたときに、前記一時記憶部に前記他事業者宛画像メールであることが記憶されていれば、本文の先頭に前記送信先メールアドレスを挿入し、事業者指定アドレスをメール送信の宛先に設定する制御部を備えたものである。
【００１０】
さらにまた、この発明に係る通信端末装置は、メール送信の宛先へメールを送信する無線部と、
他事業者宛画像メールであること、送信先メールアドレス、及び、添付画像を一時記憶する一時記憶部と、
送信するとき、前記一時記憶部に、他事業者宛画像メールであること及び添付画像が記憶されていれば、本文の先頭に前記送信先メールアドレスを挿入し、事業者指定アドレスをメール送信の宛先に設定する制御部を備えたものである。
【発明の効果】
【００１１】
この発明の画像付きメールの送信方法および通信端末装置によれば、事業者の異なる通信相手への画像付きメールの送信であっても、ユーザは同一事業者間への画像メール送信と同じような方法で画像メールを作成でき、ユーザ操作が容易になるため、入力方法が異なることによる混乱を防ぎ、ユーザの入力ミスも防ぐことができる。
【発明を実施するための最良の形態】
【００１２】
実施の形態１．
この発明の実施の形態１による画像付きメールの送信方法および通信端末装置を図１〜図３を用いて説明する。
図１は、実施の形態１の通信端末装置としての携帯電話機の概略ブロック構成図、図２は、操作者の操作に応じて携帯電話機の表示部に表示されるメール作成画面等の表示画面、図３は操作手順を示すフローチャートである。なお、以下の説明中、符号Ｓ１〜Ｓ２８は図３のステップＳ１〜Ｓ２８を示すものとする。
図１において、１は、操作者がメールアドレスの設定や画像の選択及び操作をする操作部、２は、メールアドレスや画像の確認を必要とする情報を表示する表示部、３は、移動機内にある画像やその他の情報を保存する記憶部、４は、メール送信する際に必要となる無線部、５は、事業者指定アドレスを記憶する記憶部、６は、電話帳を保存する電話帳記憶部、７は、これらの装置を制御する制御部、８は、情報が送受信される無線回線である。
【００１３】
本発明を要約すれば、他事業者（異なる事業者）へ画像付きメールを送信する時に、図２(ａ)の入力画面（メール作成画面）から「宛先」を選択した際に、図２(ｂ)に示す宛先メニュー一覧を表示し、異なる事業者への画像付きメール提供サービスの「４．画像メールサービス」を選択すると、図２(ｃ)の電話帳検索に遷移し、ここで送信したい相手のメールアドレスを電話帳から検索して、宛先に設定し、図２(ｄ)のメール作成画面から「画像」を選択した際に、図２(ｅ)に示す携帯電話内に保存されている画像一覧の中から画像を選択し、画像選択後、事業者が提供するサービスを利用するために必要となる事業者指定アドレスを宛先に自動設定するとともに、先に宛先に入力されていた送信相手のメールアドレスを本文先頭に設定変更するようにして、特殊な形式に自動変換されたメール作成画面(図２(ｆ))が表示されるようにしたものである。
ユーザが内容確認後、送信ボタンを押すことでメールを送信することが可能である。
【００１４】
以下、実施の形態１の操作手順について、図３のフローチャートを中心に、詳細に説明する。
操作者が操作部１を操作すると、制御部７は表示部２に図２（ａ）のようなメール作成画面を表示させる（Ｓ１）。
次に操作者が操作部１を用いて、表示部２に表示されたメール作成画面から「宛先」を選択する(Ｓ２)と、制御部７は表示部２に図２（ｂ）のような宛先メニュー一覧を表示させる(Ｓ３)。
操作者が宛先メニュー一覧の中から、操作部１を用いて異なる事業者への画像付きメール送信サービスの「画像メールサービス」を選択（Ｓ１３）すると、制御部７は、記憶部３の宛先選択内容に「画像メールサービス」が選択されたことを一時的に記憶させ、表示部２に図２（ｃ）のような電話帳検索画面を表示させる。
次に操作者が操作部１を操作して画像を送信したい相手のメールアドレスを選択すると、制御部７は、電話帳記憶部６から該当するメールアドレスを読み出して（Ｓ１４）、読み出したメールアドレスを図２（ｄ）のように表示部２の宛先欄に表示させ、入力を確定する(Ｓ１５)。
次に操作者が操作部１を用いて、図２（ｄ）のメール作成画面から「本文」を選択する(Ｓ１６)と、制御部７は表示部２に文字入力画面を表示させる。操作者が操作部１で本文を入力する（Ｓ１７）と、制御部７は記憶部３に、操作部１から入力した本文を一時記憶させる(Ｓ１８)。
【００１５】
次に操作者が操作部１を用いて、メール作成画面から「画像」を選択する(Ｓ１９)と、制御部７は記憶部３に保存されている画像を読み出して、図２（ｅ）のような画像一覧を表示部２に表示させる(Ｓ２０)。
操作者が操作部１を操作し、送りたい画像を選択する(Ｓ２１)と、制御部７は、記憶部３に一時的に記憶していた宛先選択内容の情報を読み出し、宛先入力時に「画像メールサービス」を選択していたかをチェックする(Ｓ２２)。
「画像メールサービス」を選択していなければ、制御部７はそのまま選択した画像を設定し、表示部２にメール作成画面を表示させて（Ｓ２）に戻る。
「画像メールサービス」を選択していた場合は、制御部７は事業者指定アドレス記憶部５から事業者が指定するアドレスを読み出して、宛先として設定し、本文の先頭には操作者が宛先に設定済みの送信相手のアドレスを変更挿入(Ｓ２３)し、表示部２に図２（ｆ）のようなメール作成画面を表示させる。
この状態で操作者が操作部１の送信ボタンを押すと(Ｓ２４)、制御部７は宛先が入力済みかどうか判断し(Ｓ２５)、入力済みであれば、無線部４を用いて、送信(Ｓ２７)を行い、処理を終了（Ｓ２８）する。
入力済みでなければ表示部２に警告画面を表示した(Ｓ２６)後、表示部２にメール作成画面を表示して（Ｓ２）へ戻る。
【００１６】
以上のように、この発明の実施の形態１の画像付きメールの送信方法および通信端末装置によれば、操作者が、他事業者宛への画像付きメールであることを指定して、宛先欄に送信したい相手のメールアドレスを設定すると、送信したい画像の選択後に、宛先欄には事業者指定アドレスが自動的に設定され、送信相手のアドレスは本文先頭に変更挿入されるので、ユーザは、異なる事業者への画像メールの送信であっても、同一事業者間への画像メール送信と同じような方法で画像メールを作成することができ、ユーザ操作が容易になるとともに、入力方法が異なることによる混乱を防ぎ、ユーザの入力ミスも防ぐことができる。
【００１７】
なお、上記の説明においては、画像選択時に、相手先アドレスを事業者指定アドレスへ変更し、本文の先頭に相手先アドレスを設定するものについて説明したが、操作者が送信ボタン押下時に、相手先アドレスを事業者指定アドレスへ変更し、本文の先頭に相手先アドレスを設定するようにしてもよい。
【産業上の利用可能性】
【００１８】
この発明は、携帯電話機のような、携帯通信端末装置を用いて画像付きメールを送信するものに適用することができる。
【図面の簡単な説明】
【００１９】
【図１】この発明の実施の形態１による通信端末装置の概略ブロック構成図である。
【図２】この発明の実施の形態１の操作説明図であって、携帯電話機の表示部に表示されるメール作成画面等の表示画面図である。
【図３】この発明の実施の形態１の操作手順を示すフローチャートである。
【図４】従来の画像付きメールの送信方法に用いられる携帯電話機の概略ブロック構成図である。
【図５】従来方法の操作説明図である。
【図６】従来方法の操作手順を示すフローチャートである。
【符号の説明】
【００２０】
１：操作部、２：表示部、３：記憶部、４：無線部、
５：事業者指定アドレス記憶部、６：電話帳記憶部、７：制御部、８：無線回線。
【図１】
2006067344.tif 000003
【図２】
2006067344.tif 000004
【図３】
2006067344.tif 000005
【図４】
2006067344.tif 000006
【図５】
2006067344.tif 000007
【図６】
2006067344.tif 000008